(57)【要約】      （修正有）【課題】色調を制御しやすい発光モジュールを提供する。【解決手段】紫外光から青色光を発光する第１発光素子１１１と、第１発光素子上に配置され、赤色光を発光する第１蛍光体を含有する第１蛍光体層１１２と、第１蛍光体層上に配置され、赤色光を通過し紫外光から青色光を遮光する第１膜１１３と、を備える赤色光源１１０と、紫外光から青色光を発光する第２発光素子１２１と、第２発光素子上に配置され、緑色光を発光する第２蛍光体を含有する第２蛍光体層１２２と、第２蛍光体層上に配置され、緑色光を通過し紫外光から青色光を遮光する第２膜１２３と、を備える緑色光源１２０と、紫外光から青色光を発光する第３発光素子１３１を備える青色光源１３０と、赤色光源、緑色光源及び青色光源の上方に配置される光拡散部材２００と、を備える発光モジュール。【選択図】図１Ｂ
2020053447.tif 000002
【特許請求の範囲】
【請求項１】
紫外光から青色光を発光する第１発光素子と、前記第１発光素子上に配置され、赤色光を発光する第１蛍光体を含有する第１蛍光体層と、前記第１蛍光体層上に配置され、赤色光を通過し紫外光から青色光を遮光する第１膜と、を備える赤色光源と、
紫外光から青色光を発光する第２発光素子と、前記第２発光素子上に配置され、緑色光を発光する第２蛍光体を含有する第２蛍光体層と、前記第２蛍光体層上に配置され、緑色光を通過し紫外光から青色光を遮光する第２膜と、を備える緑色光源と、
紫外光から青色光を発光する第３発光素子を備える青色光源と、
前記赤色光源、前記緑色光源、及び前記青色光源の上方に配置される光拡散部材と、
を備える発光モジュール。
【請求項２】
前記第１発光素子、前記第２発光素子、前記第３発光素子の少なくとも１つは、青色発光素子である、請求項１記載の発光モジュール。
【請求項３】
前記第１発光素子、前記第２発光素子、前記第３発光素子の少なくとも１つは、紫外発光素子である、請求項１記載の発光モジュール。
【請求項４】
前記第１発光素子、前記第２発光素子、前記第３発光素子は、青色発光素子である、請求項１記載の発光モジュール。
【請求項５】
前記第１膜又は前記第２膜は、誘電体多層膜である、請求項１〜請求項４のいずれか１項に記載の発光モジュール。
【請求項６】
前記青色光源は、前記第１発光素子として青色発光素子を備え、前記青色光源から出射される光は前記青色発光素子から出射される光と同じである、請求項１記載の発光モジュール。
【請求項７】
前記青色光源は、前記第１発光素子として紫外発光素子を備え、前記紫外発光素子からの紫外光の少なくとも一部を吸収して青色光を発光可能な第３蛍光体を備える、請求項１記載の発光モジュール。
【発明の詳細な説明】
【技術分野】
【０００１】
本発明は、発光モジュールに関する。
【背景技術】
【０００２】
赤色、緑色、青色の発光装置を備えた発光モジュールが知られている。
【先行技術文献】
【特許文献】
【０００３】
【特許文献１】特開２００８−１６６７８２号公報
【特許文献２】特開２０１５−０７６５２７号公報
【発明の概要】
【発明が解決しようとする課題】
【０００４】
色調を制御し易い発光モジュールが求められている。
【課題を解決するための手段】
【０００５】
本発明の実施形態は、以下の構成を含む。
紫外光から青色光を発光する第１発光素子と、第１発光素子上に配置され、赤色光を発光する第１蛍光体を含有する第１蛍光体層と、第１蛍光体層上に配置され、赤色光を通過し紫外光から青色光を遮光する第１膜と、を備える赤色光源と、紫外光から青色光を発光する第２発光素子と、第２発光素子上に配置され、緑色光を発光する第２蛍光体を含有する第２蛍光体層と、第２蛍光体層上に配置され、緑色光を通過し紫外光から青色光を遮光する第２膜と、を備える緑色光源と、紫外光から青色光を発光する第３発光素子を備える青色光源と、赤色光源、緑色光源及び青色光源の上方に配置される光拡散部材と、を備える発光モジュール。
【発明の効果】
【０００６】
以上により、色調の制御がし易い発光モジュールとすることができる。
【図面の簡単な説明】
【０００７】
【図１Ａ】発光モジュールの一例を示す模式上面図である。
【図１Ｂ】図１ＡのＩＢ−ＩＢ線における模式断面図である。
【発明を実施するための形態】
【０００８】
以下、図面に基づいて本発明の実施の形態を詳細に説明する。なお、以下の説明では、必要に応じて特定の方向や位置を示す用語（例えば、「上」、「下」および、それらの用語を含む別の用語）を用いる。それらの用語の使用は図面を参照した発明の理解を容易にするためであって、それらの用語の意味によって本発明の技術的範囲が限定されるものではない。複数の図面に表れる同一符号の部分は同一の部分又は部材を示す。
【０００９】
実施形態に係る発光モジュール１０は、光源１００と、光拡散部材２００と、を備える。光源１００は、発光色の異なる３種の光源を含む。具体的には、光源１００は、赤色光源１１０と、緑色光源１２０と、青色光源１３０と、を、それぞれ少なくとも１つ含む。光拡散部材２００は、これらの３色の光源１００の発光面の上方に配置される。光拡散部材２００によって、複数の光源１００からの光が拡散され、混色光として外部に出射される。
【００１０】
赤色光源１１０は、紫外光〜青色光の光を発光する第１発光素子１１１を備える。赤色光源１１０は、第１発光素子１１１の上に、紫外光〜青色光の光で励起されて赤色光を発光する第１蛍光体層１１２を備える。第１蛍光体層１１２の上に、赤色光を通過し紫外光〜青色光を反射する第１膜１１３を備える。
【００１１】
同様に、緑色光源１２０は、紫外光〜青色光の光を発光する第２発光素子１２１を備える。緑色光源１２０は、第２発光素子１２１の上に、紫外光〜青色光の光で励起されて緑色光を発光する第２蛍光体層１２２を備える。第２蛍光体層１２２の上に、緑色光を通過し紫外光〜青色光を反射する第２膜１２３を備える。
【００１２】
上述のような第１膜１１３又は第２膜１２３を備える構成とすることで、赤色光源１１０からは、赤色光が出射され、緑色光源１２０からは、緑色光が出射される。つまり、第１膜１１３及び第２膜１２３は、赤色光又は緑色光のみを透過可能なフィルタとしての機能を備える。
【００１３】
各光源１００から出射された光の一部は、光拡散部材２００によって拡散又は反射され、光源１００側に戻される。つまり、赤色光源１１０からの赤色光と、緑色光源１２０からの緑色光と、青色光源１３０からの青色光が、それぞれの出射元である光源以外の光源にも戻り光として照射される。具体的には、青色光源１３０から出射された青色光は、赤色光源１１０及び緑色光源１２０にも照射される。
【００１４】
赤色光源１１０の第１蛍光体層１１２、及び、緑色光源１２０の第２蛍光体層１２２は、青色光源１３０から出射され、光拡散部材２００で拡散された戻り光である青色光によって励起されて、赤色光又は緑色光を出射可能である。しかしながら、第１蛍光体層１１２の上には第１膜１１３が配置されており、第２蛍光体層１２２の上には第２膜１２３が配置されている。この第１膜１１３及び第２膜１２３は、青色光源１３０から出射される青色光を遮光する。そのため、第１蛍光体層１１２及び第２蛍光体層１２２は、青色光源１３０からの青色光が照射されない。そのため、第１蛍光体層１１２は第１発光素子１１１からの光のみで励起されて赤色光を発光し、第２蛍光体層１２２は、第２発光素子１２１からの光のみ励起されて緑色光を発光する。このように、第１膜１１３及び第２膜１２３は、青色光源１３０からの光が第１蛍光体層１１２及び第２蛍光体層１２２に照射されることを防ぐ遮光部材としての機能も備える。
【００１５】
このような構成の発光モジュール１０とすることで、赤色光源１１０と緑色光源１２０とが、青色光源１３０からの光の影響を受けることなく所望の波長の光を発光することができる。そのため、発光モジュール１０の色調を制御しやすくなる。
【００１６】
青色光源１３０は、赤色光又は緑色光によって励起されて異なる波長の光に変換する蛍光体層を備えない。そのため、青色光源１３０は、赤色光源１１０や緑色光源１２０のような、遮光機能を備える膜を備えることは必須ではない。
【００１７】
また、赤色光源１１０及び緑色光源１２０は、それぞれ赤色発光の半導体発光素子（赤色素子）や、緑色発光の半導体発光素子（緑色素子）を備えず、紫外光〜青色光の光を発光する半導体発光素子を備える。これにより、赤色素子又は緑色素子を用いる場合に比して、色純度を改善することができる。
【００１８】
発光モジュール１０は、上述の光源１００と光拡散部材２００に加え、光源１００を載置することが可能な配線基板３００を備えることができる。また、光拡散部材２００を保持する部材として、例えば光源１００を囲むように配置された環状の側壁部材４００や、その外側に配置される保持部材５００を備えることができる。これにより、光拡散部材２００を光源１００の上方に、光源１００から離間して配置することができる。
【００１９】
以下、各実施形態について詳説する。
【００２０】
（光源）
光源１００は、赤色光源１１０と、緑色光源１２０と、青色光源１３０の３色の光源で構成される。各光源１００は、少なくとも１つ以上である。各光源１００の数は、目的や用途に応じて適宜変更することができる。図１Ｂに示す例では、３色の光源１００を備えており、左から順に赤色光源１１０、青色光源１３０、緑色光源１２０の順で配置されている。ただし、各光源１００の配置はこれに限らない。また、各光源１００間の間隔は、図１Ｂに示すように、等間隔に配置することができる。ただし、これに限らず、異なる間隔で配置してもよい。
【００２１】
各光源１００は、それぞれの上面を発光面としている。換言すると、各光源１００の光軸は、上方に配置される光拡散部材２００と交差するように配置される。図１Ｂに示す例では、各光源１００の光軸は、それぞれ平行になるように配置されている。
【００２２】
各光源１００の高さは、略同じ高さとすることができる。また、各光源１００の大きさは、平面視において略同じ大きさとすることができる。
【００２３】
（赤色光源）
赤色光源１１０は、第１発光素子１１１と、その上に配置される第１蛍光体層１１２と、その上に配置される第１膜１１３と、備える。第１発光素子１１１は、紫外光から青色光の光を発光する。具体的には、第１発光素子１１１の主波長は、４４０ｎｍ〜４５０ｎｍである。第１発光素子１１１は、第１積層構造体１１１ａと、第１電極１１１ｂと、を備える。詳細には、第１積層構造体１１１ａの同一面側に正負一対となる２つの第１電極１１１ｂを備えている。尚、主波長が紫外光である発光素子を紫外発光素子、主波長が青色光である発光素子を紫外発光素子とも称する。
【００２４】
第１積層構造体１１１ａは、発光層を含む半導体層を含む。さらに、サファイア等の透光性基板を備えていてもよい。半導体積層体の一例としては、第１導電型半導体層（例えばｎ型半導体層）、発光層（活性層）および第２導電型半導体層（例えばｐ型半導体層）の３つの半導体層を含むことができる。紫外光から青色光〜紫外光が発光可能な半導体層としては、例えば、ＩＩＩ−Ｖ族化合物半導体等の半導体材料から形成することができる。具体的には、ＩｎＸＡｌＹＧａ１−Ｘ−ＹＮ（０≦Ｘ、０≦Ｙ、Ｘ＋Ｙ≦１）等の窒化物系の半導体材料を用いることができる。第１積層構造体１１１ａの厚みは、例えば３μｍ〜５００μｍとすることができる。
【００２５】
第１電極１１１ｂは、当該分野で公知の材料及び構成で、任意の厚みで形成することができる。例えば、第１電極ｂの厚みは、１μｍ〜３００μｍが好ましい。また、第１電極１１１ｂとしては、電気良導体を用いることができ、例えばＣｕ等の金属が好適である。第１電極１１１ｂの上面視形状は、目的や用途等に応じて、種々の形状を選択することができる。
【００２６】
赤色光源１１０は、第１発光素子１１１上に第１蛍光体層１１２を備える。第１蛍光体層１１２は、第１発光素子１１１からの光を吸収して赤色光を発光する第１蛍光体を含有する。赤色光を発光する第１蛍光体としては、例えば、ＣＡＳＮ系蛍光体、ＳＣＡＳＮ系蛍光体等の窒化物系蛍光体；ＫＳＦ系蛍光体（Ｋ２ＳｉＦ６：Ｍｎ）等が挙げられる。
【００２７】
第１蛍光体層１１２は、母材として透光性の樹脂材料、ガラス等を備えてもよい。母材の具体的な材料としては、シリコーン樹脂、シリコーン変性樹脂、エポキシ樹脂、フェノール樹脂などの熱硬化性樹脂を用いることができる。また、ポリカーボネート樹脂、アクリル樹脂、メチルペンテン樹脂、ポリノルボルネン樹脂などの熱可塑性樹脂を用いることができる。特に、耐光性、耐熱性に優れるシリコーン樹脂が好適である。母材は、第１発光素子からの光に対する透過率が７０％以上であることが好ましく、更に、８０％以上であることが好ましく、９０％以上であることがより好ましい。
【００２８】
赤色光源１１０は、第１蛍光体層１１２の上に、第１膜１１３を備える。第１膜１１３は、赤色光を通過し、紫外光〜青色光を遮光する。つまり、赤色光源１１０から出射される光は、第１蛍光体層１１２からの赤色光のみで構成される。赤色光源１１０の近傍に配置される青色光源１３０から出射された光が、光拡散部材２００によって拡散され、その一部が赤色光源１１０に照射された場合、その青色光を第１膜１１３で遮光することができる。このように赤色光源１１０以外からの光によって第１蛍光体層１１２が励起されることを抑制することで、意図しない赤色発光を抑制することができる。
【００２９】
第１膜１１３としては、誘電体多層膜を挙げることができる。誘電体多層膜を用いる場合は、例えば、酸化チタン、酸化ケイ素、酸化ジルコニウム、チタン酸カリウム、酸化アルミニウム、窒化アルミニウ等を用いたものを挙げることができる。第１膜１１３の総厚みは、例えば、０．５〜３μｍとすることができる。また、第１膜１１３は、第１蛍光体層１１２の上面の全面を被覆することが好ましい。第１膜１１３は、赤色光を通過可能であり、紫外光〜青色光を遮光するために、低屈折材料（例えば酸化ケイ素）と高屈折率材料（例えば酸化ニオブ）を交互に積層させた誘電体多層膜とすることができる。このような誘電体多層膜は、例えば、合計１０〜４０層とすることができ、好ましくは２０〜３５層を積層させたものとすることができる。
【００３０】
赤色光源１１０は、図１Ｂに例示するように、第１導光部材１１５、第１被覆部材１１４を備えることができる。第１導光部材１１５は、透光性の部材である。第１導光部材１１５は、第１発光素子１１１と第１蛍光体層１１２とを接合する接着剤として機能することができる。
【００３１】
第１導光部材１１５は、第１発光素子１１１の側面の５０％以上を被覆することが好ましい。第１導光部材１１５の外側面は、第１被覆部材１１４によって被覆されることが好ましい。後述のように第１被覆部材１１４として光反射性の部材である。そして、第１導光部材１１５の側面は、上方向に傾斜した傾斜面とすることが好ましい。このような構成とすることで、第１発光素子１１１の側面から出射された光を、傾斜面で反射させて上方向（第１発光素子１１１の発光面方向）に位置する第１蛍光体層１１２に効率よく入射させることができる。
【００３２】
第１導光部材１１５としては、例えば、ガラスや、樹脂材料を用いることができる。樹脂材料としては、例えば、シリコーン樹脂、シリコーン変性樹脂、エポキシ樹脂、フェノール樹脂などの熱硬化性樹脂を用いることができる。また、ポリカーボネート樹脂、アクリル樹脂、メチルペンテン樹脂、ポリノルボルネン樹脂などの熱可塑性樹脂を用いることができる。特に、耐光性、耐熱性に優れるシリコーン樹脂が好適である。第１導光部材１１５は、第１発光素子１１１からの光に対する透過率が７０％以上であることが好ましく、更に、８０％以上であることが好ましく、９０％以上であることがより好ましい。第１導光部材１１５は、拡散材や、第１発光素子１１１からの光を変換する蛍光体等を含んでもよく、あるいは、含まなくてもよい。第１導光部材１１５は、好ましくは、拡散材及び蛍光体を含まず、上述の樹脂材料又はガラスのみからなる。これにより、第１導光部材１１５の内部で光が散乱することを抑制し、効率よく第１蛍光体層１１２に光を導光させることができる。
【００３３】
第１被覆部材１１４は、第１発光素子１１１の側面を直接的又は間接的に被覆する。図１Ｂに例示する発光モジュール１０では、第１被覆部材１１４は、第１発光素子１１１の側面を第１導光部材１１５を介して間接的に被覆している。
【００３４】
第１被覆部材１１４は、第１発光素子１１１の一対の第１電極１１１ｂのそれぞれの少なくとも一部が露出するように被覆する。詳細には、第１被覆部材１１４は、第１電極１１１ｂの側面を被覆し、第１電極１１１ｂの下面を被覆しない。第１被覆部材１１４の下面は、赤色光源１１０の下面の一部を構成する。図１Ｂに示す赤色光源１１０では、第１被覆部材１１４の下面と第１電極１１１ｂの下面とが同一面に位置している。
【００３５】
第１被覆部材１１４は、第１発光素子１１１からの光を反射可能な部材であり、例えば光反射性物質を含有する樹脂材料を用いることができる。第１被覆部材１１４は、第１発光素子１１１からの光に対する反射率が７０％以上であることが好ましく、更に、８０％以上であることが好ましく、９０％以上であることがより好ましい。
【００３６】
第１被覆部材１１４としては、例えば、シリコーン樹脂、シリコーン変性樹脂、エポキシ樹脂、フェノール樹脂などの熱硬化性樹脂を主成分とする樹脂材料を母材とすることが好ましい。樹脂材料中に含有させる光反射性物質としては、例えば、白色物質を用いることができる。具体的には、例えば、酸化チタン、酸化ケイ素、酸化ジルコニウム、チタン酸カリウム、酸化アルミニウム、窒化アルミニウム、窒化ホウ素、ムライトなどが好適である。光反射性物質は、粒状、繊維状、薄板片状などが利用できる。
【００３７】
赤色光源１１０は、上述に示すような構造に限らない。すなわち、第１発光素子１１１と、第１蛍光体層１１２と、第１膜１１３を備えていれば、他の構造を備えていてもよい。例えば、凹部を備えるハウジングに、第１発光素子１１１が載置されており、その第１発光素子１１１を被覆するように第１蛍光体層１１２が配置されており、さらに、その第１蛍光体層１１２上に第１膜１１３を備える構造などとすることができる。
【００３８】
（緑色光源）
緑色光源１２０は、第２発光素子１２１と、その上に配置される第２蛍光体層１２２と、その上に配置される第２膜１２３と、を備える。第２発光素子１２１（第２積層構造体１２１ａ及び第２電極１２１ｂ）は、第１発光素子１１１と同様に紫外光〜青色光を出射可能であり、第１発光素子１１１と同様の構成を適用することができるため、詳細は省略する。第２発光素子１２１は、第１発光素子１１１と同じ波長の発光素子を用いることができる。例えば、第１発光素子１１１が青色発光素子であり、第２発光素子が青色発光素子であってもよい。あるいは、第１発光素子１１１が青色発光素子であり、第２発光素子１２１が紫外発光素子であってもよい。また、第１発光素子１１１が紫外発光素子であり、第２発光素子１２１が青色発光素子であってもよい。
【００３９】
緑色光源１２０は、第２発光素子１２１上に第２蛍光体層１２２を備える。第２蛍光体層１２２は、第２発光素子１２１からの光を吸収して緑色光を発光する蛍光体を含有する。緑色光を発光する第２蛍光体としては、セリウムで賦活されたイットリウム・アルミニウム・ガーネット系蛍光体（ＹＡＧ：Ｃｅ）、セリウムで賦活されたルテチウム・アルミニウム・ガーネット系蛍光体（ＬＡＧ：Ｃｅ）、ユウロピウムおよび／又はクロムで賦活された窒素含有アルミノ珪酸カルシウム系蛍光体（ＣａＯ−Ａｌ２Ｏ３−ＳｉＯ２）、ユウロピウムで賦活されたシリケート系蛍光体（（Ｓｒ，Ｂａ）２ＳｉＯ４）、βサイアロン蛍光体等が挙げられる。
【００４０】
第２蛍光体層１２２は、第１蛍光体層１１２に含まれる第１蛍光体を、第２蛍光体と置き換えるこことができるため、上述の第２蛍光体以外の構成は第１蛍光体層１１２と同様の構成を適用することができるため、詳細を省略する。尚、目的とする発光色等に応じて、第１蛍光体層１１２と第２蛍光体層１２２の厚みや蛍光体濃度等は適宜選択される。
【００４１】
緑色光源１２０は、第２蛍光体層１２２の上に、第２膜１２３を備える。第２膜１２３は、緑色光を通過し、紫外光〜青色光を遮光する。つまり、緑色光源１２０から出射される光は、第２蛍光体層１２２からの光のみで構成される。さらに、緑色光源１２０の近傍に配置される青色光源１３０から出射された光が、光拡散部材２００によって拡散され、その一部が緑色光源１２０に照射された場合、その青色光を第２膜１２３で遮光することができる。このように緑色光源１２０以外からの光によって第２蛍光体層１２２が励起されることを抑制することで、意図しない緑色発光を抑制することができる。
【００４２】
第２膜１２３としては、誘電体多層膜を挙げることができる。用いることができる材料や膜厚等は、第１膜１１３と同様であるため詳細は省略する。第２膜１２３は、緑色光を通過可能であり、紫外光〜青色光を遮光するために、低屈折材料（例えば酸化ケイ素）と高屈折率材料（例えば酸化ニオブ）を交互に積層させた誘電体多層膜とすることができる。このような誘電体多層膜は、例えば、合計２０〜４０層とすることができ、好ましくは２５〜３５層を積層させたものとすることができる。
【００４３】
緑色光源１２０は、図１Ｂに示すように、赤色光源１１０と同様の構造とすることができる。すなわち、赤色光源１１０の第１導光部材１１５と同様の第２導光部材１２５を備えることができる。また、赤色光源１１０の第１被覆部材１１４と同様の第２被覆部材１２４を備えることができる。第２導光部材１２５及び第２被覆部材１２４の詳細は、第１導光部材１１５及び第１被覆部材１１４と同様の構成を適用することができるため、省略する。また、赤色光源１１０と同様に、図１Ｂに示す構造以外の緑色光源１２０とすることもできる。
【００４４】
（青色光源）
青色光源１３０は、第３発光素子１３１を備える。第３発光素子１３１（第３積層構造体１３１ａ及び第３電極１３１ｂ）は、第１発光素子１１１と同様の構成を適応することができるため、詳細は省略する。
【００４５】
第３発光素子１３１として、青色光を発光可能な発光素子（青色発光素子）を用いる場合は、蛍光体を備えなくてもよい。すなわち、青色光源１３０から出射される光は、第３発光素子１３１から出射される光と同じとすることができる。蛍光体層の代わりに、透光層１３６を備えることができる。透光層１３６は、第１蛍光体層１１２の母材と同様の部材を用いることができる。
【００４６】
第３発光素子１３１が紫外光を発光可能な発光素子（紫外発光素子）を用いる場合は、その紫外光の少なくとも一部を吸収して青色光を発光可能な第３蛍光体を含む第３蛍光体層が必要である。また、第３発光素子１３１が青色光である場合も、第３発光素子１３１よりも長波長の青色光を出射可能な第３蛍光体を含む第３蛍光体層を備えていてもよい。
【００４７】
第３発光素子１３１は、第１発光素子１１１及び第２発光素子１２１と同じ波長の発光素子を用いることができる。例えば、第１発光素子１１１、第２発光素子１２１、第３発光素子のすべてを青色発光素子とすることができる。あるいは、第１発光素子１１１、第２発光素子１２１、第３発光素子のすべてを紫外発光素子とすることができる。あるいは、３つのうち２つを青色発光素子とし、１つを紫外発光素子とすることができる。さらに、３つのうち１つを青色発光素子とし、２つを紫外発光素子とすることができる。
【００４８】
青色光源１３０が第３蛍光体層を含む場合、赤色光源１１０及び緑色光源１２０と同様に、第３発光素子１３１の発光面上に第３蛍光体層を備える。第３蛍光体層に含まれる第３蛍光体としては、硫化亜鉛カドミウム、硫化バリウムアルミニウム等が挙げられる。
【００４９】
第３蛍光体層も、第２蛍光体層１２２と同様に、第１蛍光体層１１２に含まれる第１蛍光体を第３蛍光体と置き換えるこことができるため、上述の第３蛍光体以外の構成は第１蛍光体層と同様の構成を適用することができるため、詳細を省略する。
【００５０】
青色光源１３０は、図１Ｂに示すように、赤色光源１１０又は緑色光源１２０から、第１膜１１３又は第２膜１２３を除いた構造と同様の構造とすることができる。すなわち、赤色光源１１０の第１導光部材１１５と同様の第３導光部材１３５を備えることができる。また、赤色光源１１０の第１被覆部材１１４と同様の第３被覆部材１３４を備えることができる。第３導光部材１３５及び第３被覆部材１３４の詳細は、第１導光部材１１５及び第１被覆部材１１４と同様の構成とすることができるため、省略する。また、赤色光源１１０と同様に、図１Ｂに示す構造以外の青色光源１３０とすることもできる。
【００５１】
（光拡散部材）
光拡散部材２００は、赤色光源１１０、緑色光源１２０、及び青色光源１３０を含む光源１００の上方に配置される。各光源１００の発光面と光拡散部材２００との間には、空気層がある。換言すると、各光源１００の発光面と光拡散部材２００とは離間して配置されている。
【００５２】
光拡散部材２００は、各光源１００の発光面のすべての直上に配置される大きさであることが好ましい。ただし、一部の発光面の上を覆わない大きさであってもよい。
【００５３】
光拡散部材２００の平面視形状は、例えば、四角形、円形、多角形、あるいはこれらを組み合わせた形状や一部が欠けた形状等とすることができる。また、光拡散部材２００は、平板状や、上面あるいは下面の一部もしくは両方が凸状又は凹状とすることができる。
【００５４】
光拡散部材２００が板状の場合は、例えば、図１Ｂに示すような側壁部材４００の上に載置することができる。これにより、各光源１００の発光面の上方に、空気層を介して光拡散部材２００を配置することができる。また、このような側壁部材４００に相当する脚部を備えた形状の光拡散部材とすることができる。
【００５５】
光拡散部材２００は、例えば、ガラス、樹脂等の透光性の材料中に、光拡散物質を含有させたものを用いることができる。あるいは、ガラス、樹脂等の透光性の部材の表面に光拡散物質を塗布したものを用いることができる。光拡散物質としては、例えば、ＴｉＯ２、ＳｉＯ２、ＺｒＯ２、ＰｂＣＯ３、ＰｂＯ、Ａｌ２Ｏ３、ＺｎＯ、及びＳｂ２Ｏ３等が挙げられる。
【００５６】
（その他の部材）
発光モジュール１０は、図１Ｂに示すように、配線基板３００、側壁部材４００、保持部材５００等を備えることができる。
【００５７】
配線基板３００は、各光源１００を支持するとともに、各光源１００に給電するための配線を備える。配線基板３００は、光拡散部材２００を支持することが可能な大きさであればよく、平面視形状は四角形、円形、多角形等、種々の形状とすることができる。さらに、配線基板３００は、コネクタ等の電子部品を載置することができる。
【００５８】
側壁部材４００は、光拡散部材２００を支持する部材である。側壁部材４００は、図１Ａに示すように、平面視において複数の光源１００を囲む環状であることが好ましい。１つの環状の側壁部材４００で１つの光拡散部材２００を支持してもよく、あるいは、複数の側壁部材４００を環状になるように配置し、それらで１つの光拡散部材２００を支持してもよい。
【００５９】
側壁部材４００は、各光源１００からの光を反射可能な光反射性の部材であることが好ましい。例えば、樹脂、ガラス等の材料に、ＴｉＯ２、ＳｉＯ２、ＺｒＯ２、ＰｂＣＯ３、ＰｂＯ、Ａｌ２Ｏ３、ＺｎＯ、及びＳｂ２Ｏ３等等の光反射性物質を含有させた部材を用いることができる。あるいは、透光性又は遮光性の側壁部材４００の内壁に、上述の光反射性物質を塗布、貼り付け等により配置させたものとしてもよい。
【００６０】
側壁部材４００の上に光拡散部材２００を載置する場合、接着剤等で固定することができる。あるいは、接着剤を使わずに、図１Ｂに示すように、側壁部材４００と保持部材５００とで、光拡散部材２００を挟持することにより固定してもよい。保持部材５００は、側壁部材４００の外側に配置することができ、側壁部材４００よりも高さが高い。保持部材５００は、側壁部材４００と同様に、平面視において環状とすることができる。
【００６１】
保持部材５００は、図１Ｂに示すように、基部５１０と、基部５１０の上端に配置され、基部５１０から内側に延伸した延伸部５２０を備えることができる。この延伸部５２０で光拡散部材２００の外周を上側から押さえることができる。また、保持部材５００は、図１Ｂに示すように、基部５１０の下端に、基部５１０から外側に延伸した鍔部５３０を備えることができる。鍔部５３０は、配線基板３００の上面と対向している。鍔部５３０に例えばねじ穴等を設けることができる。これにより、保持部材５００を配線基板３００にねじを用いて固定することができる。
【００６２】
保持部材５００は、金属、樹脂、ガラス、あるいはこれらの複合材料等の材料を用いることができる。
【符号の説明】
【００６３】
１０…発光モジュール
１００…光源
１１０…赤色光源
１１１…第１発光素子（１１１ａ…第１積層構造体、１１１ｂ…第１電極）
１１２…第１蛍光体層
１１３…第１膜
１１４…第１被覆部材
１１５…第１導光部材
１２０…緑色光源
１２１…第２発光素子（１２１ａ…第２積層構造体、１２１ｂ…第２電極）
１２２…第２蛍光体層
１２３…第２膜
１２４…第２被覆部材
１２５…第２導光部材
１３０…青色光源
１３１…第３発光素子（１３１ａ…第３積層構造体、１３１ｂ…第３電極）
１３４…第３被覆部材
１３５…第３導光部材
１３６…透光層
２００…光拡散部材
３００…配線基板
４００…側壁部材
５００…保持部材（５１０…基部、５２０…延伸部、５３０…鍔部）
【図１Ａ】
2020053447.tif 000003
【図１Ｂ】
2020053447.tif 000004